(57)【要約】  プルダウンスイッチオフ信号を生成する装置。本発明は、ビデオ圧縮エンコーダのためのプルダウンスイッチオフ信号を生成する装置（１）であって、上記プルダウンスイッチオフ信号は、逆３：２プルダウン変換によってＮＴＳＣ信号から生成される変換された信号に依存して上記装置により規定され、上記回路装置は、平均絶対歪み（ＭＡＤ：Ｍｅａｎ  Ａｂｓｏｌｕｔｅ）検出器（２）と、アダマール係数を決定する回路（３）とを含み、上記ＭＡＤ検出器（２）は、二つの連続するフレームの画像内容同士の間の差を、所定サイズの各ブロックごとに示すＭＡＤ信号を生成し、アダマール係数を決定する上記回路（３）は、フレームごとにブロックにおける二つの係数を供給し、それらの係数から、第１の係数が隣り合う走査線ｉ及びｉ＋１のピクセルの差の合計を示し、第２の係数が走査線ｉ及びｉ＋２のピクセルの差の合計を示し、上記プルダウンスイッチオフ信号は、一つのフレームの総てのブロックに関して合計されたＭＡＤ信号の値に依存して、及び、一つのフレームの総てのブロックに関して合計された二つのアダマール係数に依存して生成される、ことを特徴とする装置に関する。
2007519335.tif 000002
【特許請求の範囲】
【請求項１】
ビデオ圧縮エンコーダのためのプルダウンスイッチオフ信号を生成する装置であって、前記プルダウンスイッチオフ信号は、逆３：２プルダウン変換によってＮＴＳＣ信号から生成される変換された信号に依存して前記装置により規定され、
前記回路装置は、平均絶対歪み（ＭＡＤ：Ｍｅａｎ  Ａｂｓｏｌｕｔｅ）検出器と、アダマール係数を決定する回路とを含み、
前記ＭＡＤ検出器は、二つの連続するフレームの画像内容同士の間の差を、所定サイズの各ブロックごとに示すＭＡＤ信号を生成し、
アダマール係数を決定する前記回路は、フレームごとにブロックにおける二つの係数を供給し、それらの係数から、第１の係数が隣り合う走査線ｉ及びｉ＋１のピクセルの差の合計を示し、第２の係数が走査線ｉ及びｉ＋２のピクセルの差の合計を示し、
前記プルダウンスイッチオフ信号は、一つのフレームの総てのブロックに関して合計されたＭＡＤ信号の値に依存して、及び、一つのフレームの総てのブロックに関して合計された二つのアダマール係数に依存して生成される、
ことを特徴とする装置。
【請求項２】
前記プルダウンスイッチオフ信号は、
各フレームに関して合計されたＭＡＤ値が所定の閾値を超えるときにスイッチオフを示し、及び／又は、
前記変換された信号の所定の数のプルダウン４サイクル内の一つ又はそれ以上の所定の位置において、フレームごとに合計された第１のアダマール係数と、フレームごとに合計された第２のアダマール係数とからの商が、所定の閾値を超えるときにスイッチオフを示すことを特徴とする請求項１に記載の装置。
【請求項３】
前記変換された信号の所定の数のプルダウン４サイクル内の少なくとも一つの所定の位置において、割り当てられたアダマール係数の商の値が、このプルダウン４サイクルの総ての位置のアダマール係数の合計された商の平均を上回る又は下回る所定の値となるときに、前記プルダウンスイッチオフ信号は、逆３：２プルダウン変換のスイッチオフを示すことを特徴とする請求項２に記載の装置。
【請求項４】
前記変換された信号の三つの連続するサイクル内の位置１、２又は３のうちの一つにおいて、割り当てられたアダマール係数の合計された商の値が、このプルダウン４サイクルの総ての位置のアダマール係数の商の平均を約１０％上回る又は下回るときに、前記プルダウンスイッチオフ信号は、逆３：２プルダウン変換のスイッチオフを示し、前記変換された信号の一つのサイクル内の位置２は、その変換されたフレームが変換されていない信号の二つの異なるフレームから再生された位置を示していることを特徴とする請求項３に記載の装置。
【請求項５】
前記プルダウンスイッチオフ信号は、フレームごとに合計されたＭＡＤ信号が所定数の先行するフレームのＭＡＤ値からの平均値の３倍を超える場合に、逆３：２プルダウン変換のスイッチオフを示すことを特徴とする請求項１に記載の装置。
【請求項６】
前記ＭＡＤ検出器、及び、アダマール係数を決定する前記回路は、前記装置と、前記プルダウンスイッチオフ信号が供給されるＭＰＥＧエンコーダとに対して、共通に設けられていることを特徴とする請求項１に記載の装置。
【請求項７】
前記プルダウンスイッチオフ信号は、ＭＰＥＧ２又はＭＰＥＧ４エンコーダに対して供給されることを特徴とする請求項１に記載の装置。
【請求項８】
請求項１乃至７のいずれか一項に記載の装置のＤＶＤレコーダにおける使用。
【発明の詳細な説明】
【技術分野】
【０００１】
本発明は、例えばＭＰＥＧ２エンコーダであり得るビデオ圧縮エンコーダのために規定されるプルダウンスイッチオフ信号の生成装置に関する。そしてまた、その装置は、逆３：２プルダウン変換によりＮＴＳＣ信号から生成される変換された信号に依存して上記プルダウンスイッチオフ信号を生成する。
【背景技術】
【０００２】
いわゆる３：２プルダウン変換は、２４フレーム／秒で走査されるフィルムの走査から生じたそのようなＮＴＳＣ信号に対して適用される。この走査信号は、その後、６０フィールド／秒のＮＴＳＣビデオ信号へと変換されなければならない。走査された各フレームをその後に二つのフィールドを生成するために使用しなければならなかった場合には、毎秒４８フィールドだけが展開する。従って、フレームが交互に３回走査され、それにより、三つの等しいフィールドが生成される。結果において、このことは、フィルムのフレームが３：２：３：２サイクル等で走査され、それにより、２４個のフレームが毎秒６０フィールドのビデオ信号になることを意味している。
【０００３】
そのようなビデオ信号をハードディスクに記録するための又は上記ビデオ信号をデジタル送信するための、例えばＤＶＤレコーダにおいては、３：２プルダウン変換から生じるそのようなＮＴＳＣビデオ信号にビデオ圧縮、例えばＭＰＥＧ２圧縮を適用することが望ましい。そのようなビデオ圧縮においてはデータ転送速度が常に重要であるため、同じフィールドが２回走査されることをできる限り避けることが望ましい。正にこれは、原理上、３：２プルダウン変換を適用されたＮＴＳＣ信号において可能である。なぜなら、１回だけ走査及び圧縮を行う必要があるフィールドがここでは２倍利用することができるからである。これにより、ビデオ圧縮においてビデオデータを約２０％低減させることができ、それに伴って、ビットレートを増大させることができる。
【０００４】
従って、従来の技術により、フィルム走査の３：２プルダウン変換から生じたＮＴＳＣ信号に、いわゆる逆３：２プルダウン変換を適用する解決策が知られている。同じフレームの二つの走査から生じた同じ内容を有するフィールドは、その後に再び拒絶される。そのフィールドの総てがＮＴＳＣ信号を発生させたフィルムの異なる画像の走査から発生したフレームを含むビデオストリームが発展する。
【０００５】
そのような既知の装置の問題は、ＮＴＳＣ信号に対して逆３：２プルダウン変換を適用すると、逆３：２プルダウン変換を適用されるＮＴＳＣ信号が２４フレーム／秒でのフィルム走査から発生しなかった又はもはや発生しない場合であって、それが毎秒６０個の異なるフィールド及び様々な動き位相を含む通常のビデオ信号である場合に、表示、特に動きの表示にかなりの誤りが生じるという事実に内在している。逆３：２プルダウン変換がそのような信号に対して更に適用される場合には、新たな画像内容及び他のフィールドと異なる内容を実際に有するフィールドが拒絶される。特に、動きに関しては、信号中にはっきりとした誤りが存在する。
【非特許文献１】「ＭＰＥＧビデオ圧縮規格（ＭＰＥＧ  Ｖｉｄｅｏ  Ｃｏｍｐｒｅｓｓｉｏｎ  Ｓｔａｎｄａｒｄ）」ミッチェル、ペネベイカー、フォグ、リガール（Ｍｉｔｃｈｅｌｌ，Ｐｅｎｎｅｂａｋｅｒ，Ｆｏｇｇ，ＬｅＧａｌｌ）著、１９９６年、チャプマン・アンド・ホール（Ｃｈａｐｍａｎ  ａｎｄ  Ｈａｌｌ）発行
【発明の開示】
【発明が解決しようとする課題】
【０００６】
従って、本発明の目的は、プルダウンスイッチオフ信号の生成装置であって、２４フレーム／秒でフィルムを走査するとともに３：２プルダウン技術を適用することにより装置に対して印加され且つ逆３：２プルダウン変換を適用されたＮＴＳＣ信号が生成されなかった又はもはや生成されない時期を確実且つ高速に検出する装置を提供することである。
【課題を解決するための手段】
【０００７】
この目的は、本発明によれば、以下の請求項１に規定された特徴により達成される。即ち、
ビデオ圧縮エンコーダのためのプルダウンスイッチオフ信号を生成する装置であって、上記プルダウンスイッチオフ信号は、逆３：２プルダウン変換によってＮＴＳＣ信号から生成される変換された信号に依存して上記装置により規定され、
上記回路装置は、平均絶対歪み（ＭＡＤ：Ｍｅａｎ  Ａｂｓｏｌｕｔｅ）検出器と、アダマール係数を決定する回路とを含み、
上記ＭＡＤ検出器は、二つの連続するフレームの画像内容同士の間の差を、所定サイズの各ブロックごとに示すＭＡＤ信号を生成し、
アダマール係数を決定する上記回路は、フレームごとにブロックにおける二つの係数を供給し、それらの係数から、第１の係数が隣り合う走査線ｉ及びｉ＋１のピクセルの差の合計を示し、第２の係数が走査線ｉ及びｉ＋２のピクセルの差の合計を示し、
上記プルダウンスイッチオフ信号は、一つのフレームの総てのブロックに関して合計されたＭＡＤ信号の値に依存して、及び、一つのフレームの総てのブロックに関して合計された二つのアダマール係数に依存して生成される、
ことを特徴とする装置である。
【０００８】
本発明に係る装置は、逆３：２プルダウン変換によりＮＴＳＣ信号から生成される信号から極めて高速且つ確実に、ＮＴＳＣ信号が実際に６０フィールド／秒の走査により発生し、且つ、フィルムの２４フレーム／秒の走査及び連続する３：２プルダウン変換の適用によってはもはや発生しない時期を検出することができるように構成されている。
【０００９】
前述した理由のため、装置は、この移行を極めて高速且つ確実な方法により検出することが望ましい。この目的のため、一方では、一般的にＭＰＥＧエンコーダ内に存在するいわゆるＭＡＤ検出器が回路装置内に設けられる。そのようなＭＡＤ検出器、ここでＭＡＤは平均絶対歪みを意味している、は、一般に、動きを評価するために使用される。その後、連続フレームがブロック内において比較された後、１ブロック当たりどのくらいの画像内容が一つのフレームから次のフレームへと変化したのかが決定される。
【００１０】
本発明に係る装置は、アダマール係数を決定するための回路を更に有している。そして、各フレーム毎に１ブロック当たり二つの係数が生成される。第１のアアダマール係数は、ブロック単位で、ブロック内の隣り合う走査線ｉ及びｉ＋１のピクセルの差を合計する。第２のアダマール係数を生成するために、ブロック内のピクセルの差の合計であるが、走査線ｉ及びｉ＋２のピクセルの差の合計、従って、第２の走査線の総てのピクセルの差の合計も決定される。このように、アダマール係数は、互いに比例して、隣り合う走査線又は一つおいて隣り合う走査線の画像内容が互いに異なっているかどうかを表わす尺度を示している。これは、フレームが個々の異なるフィールドを走査することにより発生したかどうか、又は、フレームが例えばフィルム走査の場合のように所定の動き位相を有する一つのフレームを走査することにより発生したかどうかの尺度と考えられてもよい。アダマール係数の計算それ自体は、１９９６年にチャプマン・アンド・ホール（Ｃｈａｐｍａｎ  ａｎｄ  Ｈａｌｌ）により発行されたミッチェル、ペネベイカー、フォグ、リガール（Ｍｉｔｃｈｅｌｌ，Ｐｅｎｎｅｂａｋｅｒ，Ｆｏｇｇ，ＬｅＧａｌｌ）著「ＭＰＥＧビデオ圧縮規格（ＭＰＥＧ  Ｖｉｄｅｏ  Ｃｏｍｐｒｅｓｓｉｏｎ  Ｓｔａｎｄａｒｄ）」から知られている（非特許文献１）。
【００１１】
ブロックにおいて生成されるＭＡＤ信号の値、及び、ブロックにおいて生成される第１、第２アダマール係数の双方は、１フレームに関して合計される。
【００１２】
前述した文脈の中で、装置は、これらの合計から、逆３：２プルダウン変換を適用された信号が、２４フレームを用いたフィルム走査、及び、連続する３：２変換の結果であるか否かを直接に推定することができる。この基準は、特に、アダマール係数に基づいて生成することができる。また、ＭＡＤ信号は、一種のシーン（場面）検出を行う。これは、ＭＡＤ値がシーンの変化と共にかなり増大するからである。また同様に、これは、ＮＴＳＣ信号の生成中にプルダウンサイクルが歪んだ場合や、この信号がその後にカットの対象となり、それにより、ＮＴＳＣ信号における３：２プルダウンサイクルをもはや歪み無く利用できない場合にも当てはまる。これらのケースの総てにおいて、本発明に係る装置は、逆３：２プルダウン変換をオフに切り換えるために例えば外部に設けられるビデオ圧縮エンコーダにおいて使用できるスイッチオフ信号を生成する。このように、本発明に係る装置は、フィルム走査により得られるＮＴＳＣ信号から、６０フィールド／秒でのビデオ走査により得られる「通常の」ＮＴＳＣ信号への移行を認識するのに適しているだけでなく、誤った３：２プルダウンサイクルの検出を認識することもできる。また、一つのフレームから次のフレームへと大きく変化する画像内容は、プルダウンスイッチオフ信号を生成するために使用することもできる。その結果、総ての歪み又は大きく変化する画像内容をもって、逆３：２プルダウン変換がオフに切り換えられることが常に保証される。これは、逆３：２プルダウン変換が誤って適用された場合には大きな顕著な歪みをビデオ信号中に生成するため、有益である。従って、疑いのある場合には、３：２プルダウン変換をオフに切り換えることが適切である。
【００１３】
請求項２に記載された本発明の一つの実施の形態において、プルダウンスイッチオフ信号は、フレームごとに合計される個々のブロックのＭＡＤ値が所定の閾値を超える場合、又は、フレームごとに生成されるアダマール係数からの商が、変換された信号の所定の数のプルダウン４サイクル内で所定の閾値を超える場合に生成される。この目的のために、事実、ブロックにおいて生成される第１及び第２のアダマール係数が各フレームごとに合計される。その後、一つのフレームの第１のアダマール係数の合計及び一つのフレームの第２のアダマール係数の合計から商が形成される。即ち、第１のアダマール係数の合計がそのフレームの第２のアダマール係数の合計によって除算される。この値が、変換された信号の所定数のプルダウン４サイクル中に所定の閾値を超える場合、このことは、各フレームのフィールドが異なる動き位相を表していることを示している。また、このことは、逆３：２プルダウン変換を適用されたＮＴＳＣ信号がフィルム走査から発生したのではなく、異なる動き位相を表す６０フィールド／秒のビデオ信号から生じたことを示唆しており、又は、３：２プルダウンサイクルが編集によって歪められなかったことを示唆している。
【００１４】
請求項３，４に記載された本発明の更なる実施の形態は、合計されたアダマール係数の商の更に正確な評価に関するものである。特に、プルダウン４サイクルが考慮されてもよく、また、有利には、アダマール係数の商の再評価がそのようなプルダウン４サイクル内の所定の予め規定され得る位置に好ましくは集中され得る。特に、そのようなプルダウン４サイクル内の位置１，２又は３は、ＮＴＳＣ信号のタイプ又はこれが結果となる走査の種類を認識するのに極めて適している。その理由は、３：２プルダウンサイクルが編集によって歪められたとき、又は、逆３：２プルダウン技術が適用されたビデオ信号がもはや毎秒２４フレームを走査することによっては発生しないが異なる動き位相を表す６０フィールドから発生したときに、これらのフレームのアダマール係数がかなり変化するからである。
【００１５】
請求項６に記載された本発明の更なる実施の形態において、ＭＡＤ値を決定するための回路及びアダマール係数を決定するための回路は、ＭＰＥＧエンコーダと本発明に係る装置とにおいて共通に設けられ得る。これは、そのような回路素子もＭＰＥＧエンコーダ内に存在していることから、可能である。これらの回路素子は、本発明に係る装置において使用することができ、これにより、本発明に係る装置のための追加費用及びプルダウンスイッチオフ信号の生成のための追加費用を非常に低く維持することができる。
【００１６】
本発明のこれらの態様及び他の態様は、以下に記載された実施の形態から明らかであり、以下、これらの実施の形態を参照してそれらの態様が説明される。
【発明を実施するための最良の形態】
【００１７】
既に前述したように、６０フィールド／秒の周波数で利用できるＮＴＳＣビデオ信号は、毎秒６０フィールドを走査することにより「正常な」ビデオ信号として再生することができる。そのような信号は、例えば電子カメラによって生成される。しかしながら、ＮＴＳＣ信号は、２４フレーム／秒で利用できるフィルムを走査することによっても再生され得る。２４フレーム／秒から、ＮＴＳＣ信号が１秒ごとに有していなければならない４８フィールドだけでなく６０フィールドも生成するため、この信号は、個々のフィールドが数回発生するいわゆる３：２プルダウン技術を適用され得る。
【００１８】
ビデオ圧縮においては、同じフィールドを数回圧縮しても役に立たない。従って、どのフィールドが数回生成されたかを認識するとともに、これらのフィールドを排除することが適切である。この目的のため、これを正確に行い且つビデオ圧縮のために走査されたフィルムに従って２４フレームを再び生成する、いわゆる逆３：２プルダウン変換が知られている。
【００１９】
しかしながら、ビデオ圧縮エンコーダがまさしくこのモードにある場合には、ビデオ信号が、例えばカット効果又は他の効果による歪みを含んでいる場合があるという問題、又は、異なる動き位相を有する６０個のフィールドから形成された信号へとＮＴＳＣ信号が切り換えられるという問題が存在する。いずれの場合にも、この逆３：２プルダウン変換は、エンコードされた画像中の表示されるべき動きにかなりの歪みを発生させるので、このような場合は回避されるべきである。
【００２０】
この問題を排除するため、一つのフィルムの２４個のフレームを走査した後に既知の３：２プルダウン技術を実施することにより形成されたＮＴＳＣ信号中に歪みが存在し、それにより、３：２プルダウン変換のサイクルが歪められる場合、又は、動き位相が異なる６０個のフィールドを有する一つのビデオ信号へとＮＴＳＣ信号が切り換えられる場合に、スイッチオフ信号を生成する本発明に係る装置が提供される。
【００２１】
この目的を達成するため、本発明に係る装置は、一般にＭＡＤ検出器として知られ、且つ、例えば動き検出のために使用されるいわゆる平均絶対歪み検出器を備えている。本発明に係る装置において、この検出器は、ハードカットを生成するため、即ち、大きく変化する画像内容を検出してプルダウンスイッチオフ信号を生成するために使用される。ＭＡＤ検出器は、一つのフレーム内の特定サイズのブロックの前において二つの連続するフレームの画像内容の差を示すＭＡＤ信号を生成する。ブロックごとに生成されるこれらのＭＡＤ値は１フレームごとに合計され、また、連続するフレームの合計値は互いに比較される。これらの差が、所定の数の先行するフレームのＭＡＤ値の平均値の例えば３倍を示すことができる閾値を超える場合、それはシーンの変化、即ち、ハードカットを示している。その場合、本発明に係る装置は、プルダウンスイッチオフ信号を生成する。その理由は、そのようなハードカットに関しては、３：２プルダウンサイクルをチェックすることにより、その３：２プルダウンサイクルが編集により歪められた入力信号、又は、６０フィールド／秒でフィルム走査信号から通常のビデオ信号への変換を行った入力信号の逆３：２プルダウン変換の結果としての任意の画像歪みを回避することが常に適しているからである。
【００２２】
本発明に係る装置は、アダマール係数を決定するための回路を更に有している。アダマール係数は、フレームからブロックごとに生成される係数である。この場合、第１のアダマール係数は、一つのフレームの隣接する走査線のピクセルの差を考慮に入れており、また、第２のアダマール係数は、走査線ｉ及びｉ＋２、即ち、一つおいて隣り合う走査線のピクセルの差の合計を考慮に入れている。そして、これらのアダマール係数は、ブロックにおいて生成され、一つのフレームにおいて連続的に合計される。以下に更に説明する第１のアダマール係数を第２のアダマール係数で除算した商から、従来通りに逆３：２プルダウン変換を適用され且つ３：２プルダウン変換によって歪まされていない信号が２４フレーム／秒で一つのフィルムを走査することにより発生したかどうかが更に判断され得る。図１は、平均絶対歪み（ＭＡＤ：Ｍｅａｎ  Ａｂｓｏｌｕｔｅ）検出器２と、アダマール係数を決定する回路３とを有する本発明に係る装置１の概略図を示している。
【００２３】
図１は、入力部に対してＮＴＳＣ信号が供給されている本発明に係る装置１を示しており、このＮＴＳＣ信号は逆３：２プルダウン変換が適用されたものである。その理由は、本発明に係る装置に属さないビデオ圧縮エンコーダにおいてＮＴＳＣ信号が逆３：２プルダウン変換を適用されるときに本発明に係る装置がその後においてスイッチオフ信号を供給するようになっているからであるが、この変換における基準は実際にはもはや満足されない。従って、最初の状態として、常に、ＮＴＳＣ信号が逆３：２プルダウン変換を適用されるとともに、この変換がオフに切り換えられるべきことを指摘する基準が求められるものとする。まさにこの時点で、本発明に係る装置１は、図１においてＰで示されるプルダウンスイッチオフ信号を生成する。
【００２４】
図２は、２４画像／秒で利用可能な一つのフィルムのフレーム走査から発生したＮＴＳＣ信号のその最初の縦列フレームにおける概略表示を示している。そのようなＮＴＳＣ信号は、毎秒４８個のフィールドを有し且つ毎秒２４個のフレームを有しているため、最初は基準に従っていない。従って、これらの毎秒２４個のフレームに関しては、いわゆる３：２プルダウン変換が使用され、このプルダウン変換は、信号から、標準化された６０ＨｚＮＴＳＣ信号を生成する。この６０ＨｚＮＴＳＣ信号は、図２における表示の２番目の縦列に示されている。
【００２５】
基本的に、この３：２プルダウンＮＴＳＣ信号は、ビデオ圧縮のために使用することができる。しかしながら、図２に示される表示は、最初の縦列のフレームの個々のフィールドが２番目の縦列のフレームにおいて様々な時間を出現させていることを示している。例えば、縦列１の最初のフレームの最初のフィールドは、既に、縦列２のフレームＡの一つのフィールド及び縦列２のフレームＢの一つのフィールドの両方のために使用されている。ビデオ圧縮において、このことは、同じフィールドが（同じ）圧縮を２回適用されるべきことを意味しているに過ぎない。これは不適切である。なぜなら、ビデオ圧縮は、常に最も小さい可能なデータ転送速度を得ることを目的としているからである。従って、同じフィールドの圧縮は回避されるべきである。
【００２６】
このため、従来の技術による、いわゆる逆３：２プルダウン変換が知られており、この変換は、図２の２番目の縦列にも表されるような６０ＨｚＮＴＳＣ信号から、フィールドが２回発生しない４８Ｈｚフレーム信号を生成する。また、逆プルダウン変換においては、図２のような表示における最初の縦列のオリジナルのフレームのフィールドがフィルム走査から発生したときに再び正しく組み合わせられることに留意しなければならない。図２における表示の３番目の縦列は、この逆３：２プルダウン変換から発生したフレームを示している。これも、４サイクルである。
【００２７】
また、図２における表示は、特定のフィールド、即ち、２番面の縦列のフレームＢの最初のフィールドと、２番目の縦列のフレームＣの２番目のフィールドとが拒絶されていることを示している。これは、まさしくこれらのフィールドがフィルム走査のフレームの二重評価から発生したものだからである。図２の表示は、全体としては、３：２プルダウン変換、及び、連続する逆３：２プルダウン変換の使用の結果として、右側のフレームもそれらが最初にフィルム走査から発生したように組み合わせられることを示しており、また、先と同様に４サイクルが発生することを示している。この点において、同じ内容のフィールドを２回圧縮する必要がないため、最適な低いデータ転送速度で機能し得るビデオ圧縮を行うことができる。
【００２８】
しかしながら、図２の表示における２番目の縦列の６０Ｈｚフィールド周波数を示す画像が２４フレーム／秒で利用可能な一つのフィルムのフレーム走査からもはや発生しなかった場合、又は、この走査において例えばカットの結果として歪みが存在する場合には、問題が生じる。例えば、４サイクルの正しいプロセスがもはや保証されない場合、又は、６０フィールド／秒でフィルム走査信号から通常のビデオ信号への変換が行われた場合には、逆３：２プルダウン変換により、誤ったフィールドが拒絶され、又は、完全な動き位相が拒絶されてしまう。いずれの場合にも、ビデオ圧縮は、図２に示される表示における２番目の縦列に従って６０Ｈｚ信号の総てのフィールドの完全圧縮へと再び確実に変換することができる。これこそが正に本発明に係る装置の目的である。
【００２９】
ＭＡＤ値を決定するとともに、二つのフレームの画像内容を比較することにより、本発明に係る装置は、更に一歩進んで、画像中のカット又は歪みを示す大きく変化する画像内容が存在するときに常にスイッチオフ信号を生成する。また、それと同じくらい早く、逆３：２プルダウン変換がオフに切り換えられる。
【００３０】
また、以下の式に従って、図１に示される装置３における二つのアダマール係数が生成される。
【数１】
2007519335.tif 000003
【００３１】
これらの二つの方程式によって示されるように、走査線ｉが１３個で且つピクセルｊが１５個の場合、ピクセル値の差がブロックごとに形成される。１番目の式は、走査線ｉのピクセル値と走査線ｉ＋１のピクセル値との間の差を合計する第１のアダマール係数の生成を示している。２番目の式は、走査線ｉ及びｉ＋２のピクセル値に関してこれらの差を形成する第２のアダマール係数の生成を示している。これらのアダマール係数は、最初に、各フレームに関してブロックごとに生成される。その後、これらのアダマール係数は、各フレームごとに個別に合計される。即ち、一つのフレームの第１のアダマール係数の合計と、同じフレームの第２のアダマール係数の合計とが生成される。これらの合計から、第１のアダマール係数の合計を第２のアダマール係数の合計で除算した商が決定される。この商は、その後、スイッチオフ信号を生成するためにも使用される。
【００３２】
これは基本的に可能である。なぜなら、二つのアダマール係数は、原理上、隣り合う走査線の画像差又は一つおいて隣り合う走査線の画像差が大きいかどうかを示しているからである。また、これは、図３及び図４の表示を参照して説明することができる。図３には、同じ画像、例えばフィルム画像の走査から発生した二つのフィールドを備える一つのフレームが概略的に示されている。この場合には、むしろ、第１のアダマール係数の方が第２のアダマール係数よりも小さい。これは、ここでは、走査線が大きく離間すれば離間するほど画像値の差が大きくなるからである。図４は、異なる動き位相を示す二つのフィールドを備える一つのフレームを概略表示で示している。この場合には、むしろ、第１のアダマール係数の方が第２のアダマール係数よりも大きい。これは、フレームの隣り合う走査線が動き位相が異なる様々なフィールドによりもたらされたからである。一方、フレームの一つおいて隣り合う走査線のそれぞれは、特定の画像位相の一つのフィールドから出現したものであり、従って、画像値の差が僅かである可能性が高い。
【００３３】
これらの関係は、合計された第１及び第２のアダマール係数からの商が図３及び図４を参照して説明した正にこのコヒーレンスを利用する限りにおいて、本発明に係る装置により評価される。従って、この商は、フィルム走査の結果としての歪んでいないＮＴＳＣ信号を検出するために有利に使用されてもよく、また、３：２プルダウン変換を適用されてもよい。有利な態様においては、図２の表示の縦列３に従って逆３：２プルダウン変換の４サイクルが適用された信号の特定の位置を使用することができる。例えば一つのフィルムの２４個の画像によりもたらされるＮＴＳＣ信号が関与していない又はもはや関与しないが、動き位相が異なる６０個のフィールドを有する通常のビデオ信号が関与している場合には、４サイクルのフレーム２における第１のアダマール係数が増大し又は減少する。一方、サイクルのフレーム１，３のアダマール係数の商の極値は、フィルムの走査から生じた信号が誤って処理されたことを示している。従って、これは、３：２プルダウン変換の歪み、又は、走査された信号に加えられたハードカットであるかもしれない。
【００３４】
従って、プルダウン４サイクル内の所定の位置におけるアダマール係数の特定の評価も、検出を向上させ且つ最適な信頼できる方法でプルダウンスイッチオフ信号を生成できるようにするために使用することができる。
【図面の簡単な説明】
【００３５】
【図１】逆３：２プルダウン変換の概略的表示を示している。
【図２】本発明に係る装置のブロック図を示している。
【図３】その二つのフィールドが同じ動き位相を表している一つのフレームの概略的表示を示している。
【図４】異なる動き位相を表す二つのフィールドを備える一つのフレームの概略的表示を示している。
【図１】
2007519335.tif 000004
【図２】
2007519335.tif 000005
【図３】
2007519335.tif 000006
【図４】
2007519335.tif 000007
【国際調査報告】
2007519335.tif 000008
2007519335.tif 000009